(57)【要約】      （修正有）【課題】防塵性能を向上させたプロジェクターを提供すること。【解決手段】プロジェクター１は、着脱可能なフィルター７０と、外気が導入されるスリット３およびフィルター７０が挿入される開口部が設けられた外装筐体２と、吸入口を有し、導入された外気を、吸入口から冷却対象に導く吸気ダクト９０と、吸気ダクト９０に対向して設けられ、フィルター７０が収容される収容室４と、収容室４に設けられ、フィルター７０が挿入される際に、フィルター７０を吸気ダクト９０側に案内するスロープ部と、吸入口を囲んで付設された、第１クッション９１および第２クッション９４と、開口部を閉塞する蓋部８０と、を備え、蓋部８０は、リブ部８６を有し、リブ部８６は、フィルター７０を押圧し、第１クッション９１および第２クッション９４と密着させて吸気ダクトに固定する。【選択図】図７
2020118852.tif 000002
【特許請求の範囲】
【請求項１】
光源と、前記光源から射出された光を変調する光変調装置と、を備えたプロジェクターであって、
着脱可能な防塵用のフィルターと、
前記光源および前記光変調装置を収容すると共に、外部から冷却用の外気が導入されるスリットと、前記フィルターが挿入される開口部と、が設けられた外装筐体と、
吸入口を有し、前記スリットから導入された外気を、前記吸入口から前記プロジェクターの冷却対象に導く吸気ダクトと、
前記スリットと前記吸入口とを連通させると共に、前記吸気ダクトに対向して設けられ、前記開口部から挿入された前記フィルターが収容される収容室と、
前記収容室に設けられ、前記フィルターが挿入される際に、前記フィルターを前記吸気ダクト側に案内するスロープ部と、
前記吸入口を囲んで付設された、第１クッションおよび第２クッションと、
前記外装筐体の前記開口部を閉塞する蓋部と、を備え、
前記蓋部は、前記収容室に突出するリブ部を有し、
前記リブ部は、前記収容室に収容された前記フィルターを押圧し、前記第１クッションおよび前記第２クッションと密着させて前記吸気ダクトに固定する、プロジェクター。
【請求項２】
前記第１クッションは、前記第２クッションよりも硬く、
前記第２クッションは、前記第１クッションに対して、前記スロープ部に近く、前記蓋部と離れた位置に配置され、前記フィルターの先端と密着する、請求項１に記載のプロジェクター。
【請求項３】
前記第１クッションおよび前記第２クッションは、複数の気泡を有し、
前記第１クッションが有する前記複数の気泡は、互いに独立した独立気泡であり、
前記第２クッションが有する前記複数の気泡は、互いに連通した連続気泡である、請求項２に記載のプロジェクター。
【発明の詳細な説明】
【技術分野】
【０００１】
本発明は、プロジェクターに関する。
【背景技術】
【０００２】
従来、冷却用の外気を取り込む吸気口に、防塵フィルターを備えたプロジェクターが知られていた。このような防塵フィルターは、外気中の塵埃などによる、プロジェクター内部の汚染を低減するために設置される。例えば、特許文献１には、防塵フィルターを交換可能としたプロジェクターが開示されている。
【先行技術文献】
【特許文献】
【０００３】
【特許文献１】特開２０１０−２０４３３９号公報
【発明の概要】
【発明が解決しようとする課題】
【０００４】
しかしながら、特許文献１に記載のプロジェクターでは、プロジェクター内部の防塵性能を向上させにくいという課題があった。詳しくは、塵埃が多い環境下で使用すると、防塵フィルターと、防塵フィルターが接するプロジェクター本体の段差部などとの隙間から、塵埃がプロジェクター内部に侵入する可能性があった。すなわち、防塵性能を向上させたプロジェクターが求められていた。
【課題を解決するための手段】
【０００５】
本願のプロジェクターは、光源と、光源から射出された光を変調する光変調装置と、を備えたプロジェクターであって、着脱可能な防塵用のフィルターと、光源および光変調装置を収容すると共に、外部から冷却用の外気が導入されるスリットと、フィルターが挿入される開口部と、が設けられた外装筐体と、吸入口を有し、スリットから導入された外気を、吸入口からプロジェクターの冷却対象に導く吸気ダクトと、スリットと吸入口とを連通させると共に、吸気ダクトに対向して設けられ、開口部から挿入されたフィルターが収容される収容室と、収容室に設けられ、フィルターが挿入される際に、フィルターを吸気ダクト側に案内するスロープ部と、吸入口を囲んで付設された、第１クッションおよび第２クッションと、外装筐体の開口部を閉塞する蓋部と、を備え、蓋部は、収容室に突出するリブ部を有し、リブ部は、収容室に収容されたフィルターを押圧し、第１クッションおよび第２クッションと密着させて吸気ダクトに固定する。
【０００６】
上記のプロジェクターにおいて、第１クッションは、第２クッションよりも硬く、第２クッションは、第１クッションに対して、スロープ部に近く、蓋部と離れた位置に配置され、フィルターの先端と密着することが好ましい。
【０００７】
上記のプロジェクターは、第１クッションおよび第２クッションは、複数の気泡を有し、第１クッションが有する複数の気泡は、互いに独立した独立気泡であり、第２クッションが有する複数の気泡は、互いに連通した連続気泡であることが好ましい。
【図面の簡単な説明】
【０００８】
【図１】実施形態に係るプロジェクターの構成を示す概略図。
【図２Ａ】プロジェクターの外観を示す斜視図。
【図２Ｂ】プロジェクターの外観を示す斜視図。
【図３】フィルターカバーを取り外したプロジェクターの外観を示す拡大斜視図。
【図４】フィルターカバーの外観を示す斜視図。
【図５】フィルターの外観を示す斜視図。
【図６】吸気ダクトなどの外観を示す分解斜視図。
【図７】フィルターおよびフィルターカバーがプロジェクターに装着された状態を示す側面透視図。
【図８Ａ】フィルターの装着方法を示す模式図。
【図８Ｂ】フィルターの装着方法を示す模式図。
【図９Ａ】フィルターの装着過程を示す拡大模式図。
【図９Ｂ】フィルターの装着過程を示す拡大模式図。
【図９Ｃ】フィルターの装着過程を示す拡大模式図。
【発明を実施するための形態】
【０００９】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。ここで、以下の各図においては、各部材を認識可能な程度の大きさにするため、各部材の尺度を実際とは異ならせしめている。
【００１０】
また、以下の各図においては、必要に応じて、相互に直交する座標軸であるＸＹＺ軸を付している。その場合、各図におけるＸＹＺ軸は、ＸＹ平面を略水平面と一致させ、Ｚ軸の矢印が指す方向、すなわち正のＺ方向を重力の方向と略反対方向としている。なお、正のＺ方向を「上方」、負のＺ方向を「下方」ということもある。
【００１１】
１．実施形態
本実施形態では、防塵フィルターとして、交換可能なフィルターを１個備えたプロジェクターを例に挙げて説明する。なお、フィルターの個数は１個に限定されるものではない。
【００１２】
１．１．プロジェクター
本実施形態に係るプロジェクターの構成について、図１、図２Ａ、図２Ｂおよび図３を参照して説明する。図１は、実施形態に係るプロジェクターの構成を示す概略図である。図２Ａおよび図２Ｂは、プロジェクターの外観を示す斜視図である。図３は、フィルターカバーを取り外したプロジェクターの外観を示す拡大斜視図である。なお、図１は、図示の便宜上、各構成の配置および形状が実際とは異なっている。
【００１３】
図１に示すように、本実施形態に係るプロジェクター１では、照明光学系である光源装置１０と、光源装置１０の光源１１から射出された光を変調する光変調装置としての３個の液晶パネル４０Ｒ，４０Ｇ，４０Ｂが、外装筐体２に収容されている。さらに、プロジェクター１は、色分離光学系２０、リレー光学系３０、色合成光学系であるクロスダイクロイックプリズム５０、投射レンズ６０、フィルター７０および吸気ダクト９０を備えている。なお、詳しくは後述するが、防塵用のフィルター７０は、プロジェクター１に対して着脱可能である。また、以降の説明において、液晶パネル４０Ｒ，４０Ｇ，４０Ｂを総称して、単に液晶パネル４０ということもある。
【００１４】
光源装置１０は、光源１１、第１レンズアレイ１２、第２レンズアレイ１３、偏光変換素子１４、重畳レンズ１５を有している。第１レンズアレイ１２および第２レンズアレイ１３では、小レンズがマトリクス状に配列されている。
【００１５】
プロジェクター１では、光源１１として放電型の光源を採用しているが、光源１１の方式はこれに限定されない。光源１１として、発光ダイオード、レーザーなどの固体光源を採用してもよい。
【００１６】
光源１１から射出された光は、第１レンズアレイ１２によって複数の微小な部分光束に分割される。偏光変換素子１４は、光源１１から射出された非偏光な光を、液晶パネル４０で利用可能な偏光に揃える。各部分光束は、第２レンズアレイ１３および重畳レンズ１５によって、照明対象である液晶パネル４０の各入射面に重畳される。すなわち、第１レンズアレイ１２、第２レンズアレイ１３、重畳レンズ１５によって、光源１１から射出された光が液晶パネル４０を照明するインテグレーター照明光学系が形成される。
【００１７】
色分離光学系２０は、第１ダイクロイックミラー２１、第２ダイクロイックミラー２２、反射ミラー２３、フィールドレンズ２４，２５を有している。色分離光学系２０は、光源装置１０からの光を、各々異なる波長域の３色の色光に分離する。３色の色光とは、略赤色の光、略緑色の光、略青色の光である。以降の説明において、上記略赤色の光を赤色光Ｒともいい、上記略緑色の光を緑色光Ｇともいい、上記略青色の光を青色光Ｂともいう。
【００１８】
フィールドレンズ２４は、液晶パネル４０Ｒにおける赤色光Ｒの入射面側に配置されている。フィールドレンズ２５は、液晶パネル４０Ｇにおける緑色光Ｇの入射面側に配置されている。
【００１９】
第１ダイクロイックミラー２１は、赤色光Ｒを透過させると共に、緑色光Ｇおよび青色光Ｂを反射させる。第１ダイクロイックミラー２１を透過した赤色光Ｒは、反射ミラー２３で反射され、フィールドレンズ２４を透過して液晶パネル４０Ｒを照明する。第１ダイクロイックミラー２１で反射された緑色光Ｇは、第２ダイクロイックミラー２２によって反射された後、フィールドレンズ２５を透過して液晶パネル４０Ｇを照明する。第１ダイクロイックミラー２１で反射された青色光Ｂは、第２ダイクロイックミラー２２を透過してリレー光学系３０へ射出される。
【００２０】
フィールドレンズ２４は、反射ミラー２３で反射された赤色光Ｒを集光して、液晶パネル４０Ｒを照明する。フィールドレンズ２５も、フィールドレンズ２４と同様に、第２ダイクロイックミラー２２で反射された緑色光Ｇを集光して、液晶パネル４０Ｇを照明する。このとき、液晶パネル４０Ｒおよび液晶パネル４０Ｇを照明する光は、それぞれ略平行な光束となるように設定される。
【００２１】
ここで、第１ダイクロイックミラー２１および第２ダイクロイックミラー２２は、各機能に対応する誘電体多層膜を、透明ガラス板上に形成することにより作製される。
【００２２】
リレー光学系３０は、入射側レンズ３１、第１反射ミラー３２、リレーレンズ３３、第２反射ミラー３４、フィールドレンズとしての射出側レンズ３５を有している。青色光Ｂは、緑色光Ｇや赤色光Ｒと比べて光路が長いため、光束が大きくなりやすい。そのため、リレーレンズ３３を用いて光束の拡大を抑えている。色分離光学系２０から射出された青色光Ｂは、第１反射ミラー３２で反射されると共に、入射側レンズ３１によってリレーレンズ３３の近傍で収束される。そして、青色光Ｂは、第２反射ミラー３４および射出側レンズ３５に向かって発散する。
【００２３】
射出側レンズ３５は、上述したフィールドレンズ２４，２５と同様な機能を有し、液晶パネル４０Ｂを照明する。液晶パネル４０Ｂを照明する光は、略平行な光束となるように設定される。
【００２４】
液晶パネル４０は、それぞれの入射面から入射した各色光を、それぞれ対応する画像信号に応じた強度の光に変換して変換光として透過させる。換言すれば、液晶パネル４０は、上記各色光を変調して射出する。本実施形態では、液晶パネル４０として透過型の液晶パネルを採用している。
【００２５】
ここで、光変調装置としての液晶パネル４０は、透過型の液晶パネルに限定されない。光変調装置として、反射型液晶パネルなどの反射型の光変調装置を採用してもよい。また、入射した光の射出方向を、画素としてのマイクロミラー毎に制御することにより、光源１１から射出された光を変調するデジタルマイクロデバイスなどを採用してもよい。さらに、複数の色光毎にそれぞれ光変調装置を備える構成に限定されず、１個の光変調装置により、複数の色光を時分割にて変調する構成としてもよい。
【００２６】
クロスダイクロイックプリズム５０は、液晶パネル４０から射出された各色の変換光を合成する。クロスダイクロイックプリズム５０は、赤色光Ｒを反射するＲ光反射ダイクロイック面５１Ｒと、青色光Ｂを反射するＢ光反射ダイクロイック面５１Ｂと、を有している。Ｒ光反射ダイクロイック面５１Ｒには、赤色光Ｒを反射する誘電体多層膜が配置されている。Ｂ光反射ダイクロイック面５１Ｂには、青色光Ｂを反射する誘電体多層膜が配置されている。Ｒ光反射ダイクロイック面５１ＲおよびＢ光反射ダイクロイック面５１Ｂを、以降、単に反射ダイクロイック面５１Ｒ，５１Ｂともいう。
【００２７】
色分離光学系２０、リレー光学系３０およびクロスダイクロイックプリズム５０の配置を平面視した場合に、赤色光Ｒを反射する誘電体多層膜と、青色光Ｂを反射する誘電体多層膜とは、略Ｘ字状に配置される。反射ダイクロイック面５１Ｒ，５１Ｂによって、赤色光Ｒ、緑色光Ｇ、青色光Ｂの３色の変換光が合成されて、カラー画像を表示する合成光が生成される。こうしてクロスダイクロイックプリズム５０によって生成された合成光は、投射レンズ６０に向かって射出される。
【００２８】
投射レンズ６０は、プロジェクター１の外側を向いて配置されている。投射レンズ６０を通過して、プロジェクター１から射出された合成光は、画像光として図示しないスクリーンなどの投射対象に投射される。
【００２９】
外装筐体２には、プロジェクター１の外部から冷却用の外気ａが導入されるスリット３が設けられている。外装筐体２のスリット３の内側には、フィルター７０が収容される収容室４が設けられている。収容室４と対向して、吸気ダクト９０が配置されている。収容室４は、スリット３と吸気ダクト９０の後述する吸入口とを連通させている。フィルター７０は、収容室４において、スリット３と吸気ダクト９０との間に収容される。吸気ダクト９０は、図示しない吸気ファンによって、プロジェクター１内部の冷却対象に、スリット３からフィルター７０を介して冷却用の外気ａを導入する。
【００３０】
外気ａは、プロジェクター１の稼働時に温度が上昇しやすい、液晶パネル４０などの冷却対象を冷却する。なお、上記の冷却対象は、液晶パネル４０に限定されず、光源装置１０などであってもよい。外気ａは、冷却に供された後、外装筐体２に設けられた、図示しない排気口からプロジェクター１の外部へ放出される。
【００３１】
フィルター７０は、所謂エアフィルターであって、外気ａに含まれる塵埃を捕捉して、プロジェクター１内部に導入される塵埃の量を低減する。そのため、プロジェクター１内部の各構成において、塵埃による汚染を抑えることができる。フィルター７０の形態としては、特に限定されないが、例えば、繊維を板状に配置した、フェルト製や紙製の防塵用フィルターなどが挙げられる。
【００３２】
フィルター７０は、プロジェクター１に対して、外装筐体２における、後述する蓋部としてのフィルターカバーを開放することにより着脱が可能である。そのため、フィルター７０をプロジェクター１から取り出して、清掃や交換を実施することができる。
【００３３】
ここで、フィルター７０と吸気ダクト９０との間に隙間があると、導入される外気ａがフィルター７０を介さずに、上記隙間からプロジェクター１内部に流入しやすくなる。本実施形態では、後述する第１クッションおよび第２クッションによって、上記隙間を封止する点などが従来とは異なっている。
【００３４】
図２Ａに示すように、プロジェクター１の外装筐体２は略直方体であって、負のＸ方向側の側面、換言すれば、投射レンズ６０が配置された面に向かって右側の面が、略半円柱状の曲面に形成されている。外装筐体２には、フィルター７０を着脱するための、後述する開口部が設けられ、該開口部を閉塞する蓋部としてのフィルターカバー８０が設けられている。フィルターカバー８０は、フィルター７０を着脱するために、外装筐体２から取り外すことが可能である。ここで、フィルターカバー８０は、フィルター７０を着脱するために開閉可能であればよく、取り外し可能であることに限定されない。外装筐体２およびフィルターカバー８０は、例えば、樹脂で形成される。
【００３５】
フィルターカバー８０は、上記略半円柱状の曲面の上方よりにあって、外面が上記曲面の一部を構成している。フィルターカバー８０は、上方からの平面視にて、長手方向がＹ軸に沿う略長方形である。Ｙ軸に沿う方向において、フィルターカバー８０の長さは、外装筐体２の長さよりもやや短く形成されている。
【００３６】
フィルターカバー８０は、正のＹ方向側の端部に切欠き部８１を有している。切欠き部８１に爪などを掛けて、フィルターカバー８０を上方に持ち上げることにより、フィルターカバー８０を外装筐体２から取り外すことが可能である。
【００３７】
図２Ｂに示すように、外装筐体２における負のＸ方向側の側面には、スリット３が設けられている。スリット３は、設置時に目立たないように、上記側面で下方よりに配置される。スリット３は、格子状に配置された貫通孔であって、プロジェクター１の外部の空気、すなわち外気ａが導入可能に形成されている。
【００３８】
図３に示すように、プロジェクター１からフィルターカバー８０を取り外すと、開口部６が開放される。開口部６は、上方からの平面視にて、長手方向がＹ軸に沿う略長方形であって、フィルターカバー８０よりもやや小さく形成されている。開口部６を介してフィルター７０が着脱可能となる。すなわち、フィルター７０を装着する際に、フィルター７０は、開口部６から挿入されて収容室４に収容される。ここで、図３では、フィルター７０のうち、外装筐体２に隠れている部分を破線で示している。
【００３９】
フィルター７０は、負のＸ方向からの平面視にて略長方形の平板である。フィルター７０は、長手方向がＹ軸に沿って配置され、厚さ方向がＸ軸に沿って配置される。図１に示した外気ａは、スリット３から収容室４に導入された後、正のＸ方向へ向かってフィルター７０を通過する。フィルター７０の正のＸ方向側には、吸気ダクト９０が配置されている。
【００４０】
フィルター７０の着脱は、フィルターカバー８０を取り外して開放された収容室４の上方から行う。フィルター７０における上方の長辺中央には、ツマミ７１が設けられている。ツマミ７１は、フィルター７０の着脱時に、フィルター７０を摘まんで持つためなどに用いられる。
【００４１】
フィルター７０がプロジェクター１に装着されると、Ｘ軸に沿う方向、Ｙ軸に沿う方向およびＺ軸に沿う方向の３方向において、フィルター７０の位置決めが成される。Ｙ軸に沿う方向の位置決めは、収容室４の正負のＹ方向側に設けられた、図示しない一対の突起部と、フィルター７０の両短辺とが当接することによって成される。Ｘ軸に沿う方向およびＺ軸に沿う方向の位置決めについては、後述する。
【００４２】
１．２．フィルターカバー
次に、フィルターカバー８０の構成について、図４を参照して説明する。図４は、フィルターカバーの外観を示す斜視図である。ここで、図４では、フィルターカバー８０における、収容室４に面する内側の外観を示している。
【００４３】
図４に示すように、フィルターカバー８０は、凸部８２，８３，８４，８５、リブ部８６，８７を有している。フィルターカバー８０は、上述した通り、上方からの平面視で略長方形である。フィルターカバー８０において、短辺の略中央に凸部８２，８３が設けられ、長辺の略中央に凸部８４，８５が設けられている。凸部８２，８３，８４，８５は、下方向きに突出している。そのため、凸部８２，８３，８４，８５は、フィルターカバー８０がプロジェクター１に装着されると、プロジェクター１の対応する位置に設けられた、図示しない４個の凹部とそれぞれ嵌合する。これによって、フィルターカバー８０が、プロジェクター１に固定される。
【００４４】
リブ部８６，８７は、対を成し、凸部８２，８３に対して、Ｙ軸に沿う方向におけるやや中央よりに設けられている。リブ部８６，８７は、下方向きの突起であって、フィルターカバー８０がプロジェクター１に装着されると、収容室４に突出する。リブ部８６，８７は、フィルター７０が吸気ダクト９０に固定される際に、フィルター７０に当接して押圧する。すなわち、リブ部８６，８７は、収容室４に収容されたフィルター７０を押圧し、後述する第１クッションおよび第２クッションと密着させて吸気ダクト９０に固定する機能を有している。リブ部８６，８７の詳細な機能は後述する。
【００４５】
１．３．フィルターおよび吸気ダクト
次に、フィルター７０および吸気ダクト９０などの構成について、図５、図６および図７を参照して説明する。図５は、フィルターの外観を示す斜視図である。図６は、吸気ダクトなどの外観を示す分解斜視図である。図７は、フィルターおよびフィルターカバーがプロジェクターに装着された状態を示す側面透視図である。
【００４６】
図５に示すように、フィルター７０は、正のＸ方向からの平面視にて、長手方向がＹ軸に沿う略長方形である。フィルター７０は、フィルター本体部７２、平坦部７３，７４，７５，７６、当接部７７，７８、および上述したツマミ７１を有している。
【００４７】
平坦部７３，７４，７５，７６は、フィルター７０における、正のＸ方向側の４辺に設けられている。平坦部７３，７４，７５，７６は、それぞれが略長方形の平坦な面から成る領域であって、連続した面として形成されている。フィルター７０における、Ｚ軸に沿う短辺の平坦部７３，７５と、上方側の長辺の平坦部７４とは、ＹＺ平面に沿い、正のＸ方向を向いて設けられている。下方側の長辺の平坦部７６は、ＸＹ平面に沿い、下方を向いて設けられている。平坦部７３，７４，７５，７６は、フィルター７０がプロジェクター１に装着されると、後述する第１クッションおよび第２クッションと当接する領域である。詳しくは後述するが、第１クッションと平坦部７３，７４，７５とが当接し、第２クッションと平坦部７６とが当接する。
【００４８】
当接部７７，７８は、プロジェクター１にフィルター７０が装着される際に、フィルターカバー８０の上述したリブ部８６，８７と当接する位置に設けられている。詳しくは、当接部７７は、フィルター７０の上方の長辺における、負のＹ方向側の端部に設けられている。当接部７８は、フィルター７０の上方の長辺における、正のＹ方向側の端部に設けられている。当接部７７，７８は、対を成し、負のＸ方向を向いて突出している。
【００４９】
図６に示すように、吸気ダクト９０は、吸入口９５を有している。吸気ダクト９０の正のＸ方向側には、吸気ファンユニット１１０が配置されている。上述した外気ａは、吸気ファンユニット１１０による吸引によって、図３に示したスリット３から導入された後、吸入口９５から吸気ファンユニット１１０を介してプロジェクター１内部の冷却対象に導かれる。
【００５０】
吸気ファンユニット１１０は、図示しない吸気ファンを有している。吸気ファンとしては、特に限定されないが、例えば、遠心ファン、軸流ファンなどが挙げられる。
【００５１】
吸入口９５は、負のＸ方向からの平面視にて略長方形であって、長辺がＹ軸に沿っている。吸入口９５を囲んで、吸入口９５周囲の４辺に第１クッション９１，９２，９３および第２クッション９４が付設されている。上記４辺のうち、上方の長辺には第１クッション９２が配置され、下方の長辺には第２クッション９４が配置されている。上記４辺のうち、Ｚ軸に沿う、負のＹ方向側の短辺には第１クッション９１が配置され、正のＹ方向側の短辺には第１クッション９３が配置されている。第１クッション９１，９２，９３および第２クッション９４と、吸気ダクト９０とは、両面テープなどの粘着剤などを介して接着される。
【００５２】
詳しくは、第１クッション９１，９２，９３は、吸気ダクト９０における、負のＸ方向を向いた面に配置されている。フィルター７０が装着されると、第１クッション９１，９２，９３には、フィルター７０の上述した平坦部７３，７４，７５が負のＸ方向側から当接する。
【００５３】
第２クッション９４は、吸気ダクト９０における、負のＸ方向に突出して上方を向いた面に配置されている。第２クッション９４は、フィルター７０が装着されると、フィルター７０の上述した平坦部７６が上方側から当接する。
【００５４】
ここで、本実施形態では、第１クッション９１と第１クッション９２との境界において、第１クッション９１が、第１クッション９２の領域の一部まで食い込んだ形態としている。これにより、第１クッション９１と第１クッション９２との境界線が延長され、第１クッション９１と第１クッション９２との境界において、外気ａが浸入しにくくなる。
【００５５】
上記と同様にして、第１クッション９２と第１クッション９３との境界において、第１クッション９３が、第１クッション９２の領域の一部まで食い込んだ形態としている。これにより、第１クッション９２と第１クッション９３との境界線が延長され、第１クッション９２と第１クッション９３との境界において、外気ａが浸入しにくくなる。
【００５６】
第１クッション９１，９２，９３は、第２クッション９４よりも硬い。ここでいう硬さとは、例えば、ＪＩＳ  Ｋ７３１２（熱硬化性ポリウレタンエラストマー成形物の物理試験方法）における硬さ試験などによって知ることができる。上記硬さは、形成材料の種類や分子量などによって調整されてもよく、後述する内部の気泡の形態や密度などで調整されてもよい。
【００５７】
第１クッション９１，９２，９３および第２クッション９４は、内部に複数の気泡を有する発泡体である。第１クッション９１，９２，９３が有する複数の気泡は、互いに独立した独立気泡である。第２クッション９４が有する複数の気泡は、互いに連通した連続気泡である。
【００５８】
第１クッション９１，９２，９３および第２クッション９４の形成材料としては、例えば、樹脂が挙げられる。本実施形態では、第１クッション９１，９２，９３として、ＥＰＤＭ（エチレン−プロピレン−ジエン共重合体）の発泡体を用い、第２クッション９４として、ポリエチレン樹脂の発泡体を用いている。なお、吸気ダクト９０とフィルター７０との間の防塵性能が確保可能であれば、第１クッション９１，９２，９３および第２クッション９４は発泡体でなくてもよい。
【００５９】
図７に示すように、プロジェクター１にフィルター７０およびフィルターカバー８０が装着されると、第１クッション９１，９２，９３および第２クッション９４とフィルター７０とが密着する。ここで、図７では、Ｙ軸に沿う方向において、フィルターカバー８０のリブ部８６やフィルター７０の当接部７７が設けられた位置を透視して示している。
【００６０】
詳しくは、第１クッション９１とフィルター７０の平坦部７３とが当接して密着し、第２クッション９４とフィルター７０の平坦部７６とが当接して密着している。図示しないが、このとき、第１クッション９２とフィルター７０の平坦部７４とが当接して密着し、第１クッション９３とフィルター７０の平坦部７５とが当接して密着している。そのため、フィルター７０と吸気ダクト９０との間の隙間が低減される。これにより、図示しない外気ａは、スリット３から収容室４に吸入された後に、上記隙間からプロジェクター１内部に侵入しにくくなる。したがって、外気ａの大部分がフィルター７０を介して吸気ダクト９０に導入される。
【００６１】
第２クッション９４は、第１クッション９１，９２，９３に対して、フィルターカバー８０と離れた位置に配置される。すなわち、第２クッション９４は、第１クッション９１，９２，９３よりも、プロジェクター１の下方の面である底面の近くに位置する。そのため、フィルター７０の下方側の先端、換言すれば平坦部７６と、第２クッション９４とが密着する。
【００６２】
２．１．フィルターの装着方法
フィルター７０のプロジェクター１への装着方法について、図８Ａ、図８Ｂ、図９Ａ、図９Ｂおよび図９Ｃを参照して説明する。図８Ａおよび図８Ｂは、フィルターの装着方法を示す模式図である。図９Ａ、図９Ｂおよび図９Ｃは、フィルターの装着過程を示す拡大模式図である。ここで、図８Ａおよび図８Ｂでは、図７と同様な位置を図示している。図９Ａ、図９Ｂおよび図９Ｃでは、当接部７７およびリブ部８６の周辺を拡大して示している。なお、以下の説明では、当接部７７およびリブ部８６の機能について説明するが、当接部７８およびリブ部８７の機能も同様である。したがって、当接部７８およびリブ部８７の機能については説明を省略する。
【００６３】
図８Ａに示すように、プロジェクター１にフィルター７０を装着する際には、フィルターカバー８０を外し、収容室４の上方の開口部６からフィルター７０を挿入する。収容室４には、スロープ部５が設けられている。スロープ部５は、フィルター７０が開口部６から収容室４に挿入される際に、フィルター７０を吸気ダクト９０側に案内する。スロープ部５は、収容室４における負のＸ方向側の内壁にあって、上下方向の中程から吸気ダクト９０の下方近傍まで延在している。スロープ部５は、正のＸ方向へ向かって、Ｚ軸に沿う方向の高さが低くなる斜面である。
【００６４】
フィルター７０が収容室４に半分以上挿入されると、スロープ部５と、フィルター７０の下方の先端、詳しくは平坦部７６における負のＸ方向側の端部とが当接する。この状態が図８Ａに示されている。フィルター７０は、平坦部７６がスロープ部５と当接しながら案内されて、さらに収容室４の下方まで挿入される。スロープ部５は、吸気ダクト９０の近傍まで配置されているため、フィルター７０は、スロープ部５によって、吸気ダクト９０側に案内される。このように、フィルター７０は、スロープ部５に案内されるため、Ｚ軸と交差する斜め方向に収容室４に挿入される。これによって、フィルター７０が収容室４に対して、挿入される際、または取り出される際に、第１クッション９１，９２，９３とフィルター７０とが接触しにくくなる。したがって、第１クッション９１，９２，９３の摩耗を抑えることができる。
【００６５】
第２クッション９４は、第１クッション９１，９２，９３に対して、スロープ部５の近くに配置されている。そのため、図８Ｂに示すように、フィルター７０が収容室４に収容されると、まず、平坦部７６が第２クッション９４に当接する。その後、矢印で図示したように、フィルター７０の上方を正のＸ方向へ振るようにして、フィルター７０と第１クッション９１，９２，９３とを接近させる。この状態で、次に述べるように、フィルターカバー８０をプロジェクター１に装着する。
【００６６】
図９Ａに示すように、吸気ダクト９０は、第１クッション９２が付設された位置の上方にガイド部９６を備えている。ガイド部９６は、ＹＺ平面に対して傾斜した面を有し、フィルター７０における平坦部７４の上方の端部と当接して案内する。上述した、フィルター７０が収容室４に収容され、フィルター７０と第１クッション９１，９２，９３とが接近した状態では、第１クッション９２と平坦部７４とは接していない。この状態でフィルターカバー８０を下方に向けて装着し始めると、フィルターカバー８０のリブ部８６とフィルター７０の当接部７７とが当接する。
【００６７】
図９Ｂに示すように、フィルターカバー８０をより下方に入れていくと、当接部７７がリブ部８６に押圧されて、フィルター７０が正のＸ方向および下方に移動する。このとき、平坦部７４とガイド部９６とが当接して、フィルター７０が固定されるべき所定の位置、詳しくは正のＸ方向および下方に案内される。
【００６８】
図９Ｃに示すように、フィルターカバー８０が外装筐体２に装着されると、リブ部８６は、外装筐体２と当接して当接部７７を正のＸ方向に押圧する。そのため、フィルター７０が正のＸ方向へ押圧されて、平坦部７３，７４，７５と、それぞれ対応する第１クッション９１，９２，９３とが密着する。また、ガイド部９６は、平坦部７４の上方の端部と当接して、フィルター７０が下方に押圧される。そのため、図示を省略するが、平坦部７６と第２クッション９４とが密着する。これにより、フィルター７０は、第１クッション９１，９２，９３および第２クッション９４と密着して、図７に示した状態にて、吸気ダクト９０に固定される。なお、フィルター７０をプロジェクター１から取り外す際には、上述した方法を逆に行う。
【００６９】
以上に述べたように、本実施形態に係るプロジェクター１によれば、以下の効果を得ることができる。
【００７０】
プロジェクター１内部の防塵性能を向上させることができる。詳しくは、第１クッション９１，９２，９３および第２クッション９４が吸気ダクト９０の吸入口９５を囲んで付設される。フィルター７０は、第１クッション９１，９２，９３および第２クッション９４と密着する。そのため、フィルター７０と吸気ダクト９０との間の封止性が向上して、プロジェクター１内部への外気ａの侵入が抑制される。すなわち、フィルター７０を通過していない外気ａが、プロジェクター１内部に入りにくくなる。
【００７１】
フィルター７０が収容室４に挿入される際に、フィルター７０の平坦部７６がスロープ部５によって案内される。すなわち、スロープ部５に沿って、フィルター７０が斜めに吸気ダクト９０へ近づく。そのため、フィルター７０と第１クッション９１，９２，９３および第２クッション９４との摺動が抑えられる。また、フィルター７０を収容室４から取り出す際にも、上記と逆の動作となるため、フィルター７０と第１クッション９１，９２，９３および第２クッション９４との摺動が抑えられる。したがって、第１クッション９１，９２，９３および第２クッション９４の摩耗が低減されて、プロジェクター１内部の防塵性能が好適に維持される。
【００７２】
スロープ部５およびフィルターカバー８０のリブ部８６，８７などによって、フィルター７０装着時における、吸気ダクト９０に対するフィルター７０の固定を、従来よりも容易かつ着実に行うことができる。
【００７３】
第１クッション９１，９２，９３は、吸気ダクト９０における、負のＸ方向を向いた面に配置され、第２クッション９４は、吸気ダクト９０において、負のＸ方向に突出し、上方を向いた面に配置されている。また、平坦部７３，７４，７５はＹＺ平面に沿い、正のＸ方向を向いて設けられ、平坦部７６はＸＹ平面に沿い、下方を向いて設けられている。そのため、フィルター７０の装着時に、収容室４の上方の開口部６からフィルター７０を挿入して、平坦部７６と第２クッション９４を当接させ、その後に、平坦部７３，７４，７５と、それぞれ対応する第１クッション９１，９２，９３とを当接させることができる。これにより、プロジェクター１に対するフィルター７０の着脱を容易にすると共に、フィルター７０と吸気ダクト９０との封止性を高めて、プロジェクター１の防塵性能を向上させることができる。
【００７４】
フィルター７０の装着時に、フィルター７０はスロープ部５に案内されて、まず第２クッション９４に当接する。第２クッション９４は、第１クッション９１，９２，９３に対して、柔らかく変形しやすい。そのため、フィルター７０がフィルターカバー８０のリブ部８６，８７などに押圧されると、第２クッション９４が変形してフィルター７０と密着する。次いで、フィルター７０と第１クッション９１，９２，９３とが当接して密着する。これにより、フィルター７０と吸気ダクト９０との間の封止性がさらに向上すると共に、第１クッション９１，９２，９３および第２クッション９４の摩耗がより低減される。
【００７５】
第１クッション９１，９２，９３が独立気泡を有する発泡体であり、第２クッション９４が連続気泡を有する発泡体であるため、第１クッション９１，９２，９３よりも第２クッション９４を、容易に柔らかくすることができる。
【００７６】
フィルター７０の装着時に、フィルター７０を収容室４に対して開口部６から斜めに挿入するため、第１クッション９１，９２，９３および第２クッション９４とフィルター７０との接触が低減されて第１クッション９１，９２，９３および第２クッション９４の摩耗が抑えられる。また、第１クッション９１，９２，９３および第２クッション９４の反発力に起因する、外装筐体２に対するフィルターカバー８０の浮きを抑えることができる。さらに、フィルターカバー８０を比較的に小さく形成することができる。
【００７７】
フィルターカバー８０が外装筐体２の側面上方に設けられているため、プロジェクター１における投射レンズ６０が配置される正面から、外装筐体２の部品の分割線を排除しやすくなる。これにより、プロジェクター１のデザイン性を向上させることができる。
【００７８】
以下に、実施形態から導き出される内容を記載する。
【００７９】
プロジェクターは、光源と、光源から射出された光を変調する光変調装置と、を備えたプロジェクターであって、着脱可能な防塵用のフィルターと、光源および光変調装置を収容すると共に、外部から冷却用の外気が導入されるスリットと、フィルターが挿入される開口部と、が設けられた外装筐体と、吸入口を有し、スリットから導入された外気を、吸入口からプロジェクターの冷却対象に導く吸気ダクトと、スリットと吸入口とを連通させると共に、吸気ダクトに対向して設けられ、開口部から挿入されたフィルターが収容される収容室と、収容室に設けられ、フィルターが挿入される際に、フィルターを吸気ダクト側に案内するスロープ部と、吸入口を囲んで付設された、第１クッションおよび第２クッションと、外装筐体の開口部を閉塞する蓋部と、を備え、蓋部は、収容室に突出するリブ部を有し、リブ部は、収容室に収容されたフィルターを押圧し、第１クッションおよび第２クッションと密着させて吸気ダクトに固定する。
【００８０】
この構成によれば、プロジェクター内部の防塵性能を向上させることができる。詳しくは、第１クッションおよび第２クッションが吸気ダクトの吸入口を囲んで付設される。フィルターは、第１クッションおよび第２クッションと密着する。そのため、フィルターと吸気ダクトとの間の封止性が向上して、プロジェクター内部への外気の侵入が抑制される。すなわち、フィルターを通過していない外気が、プロジェクター内部に入りにくくなる。
【００８１】
また、フィルターが収容室に挿入される際に、フィルターがスロープ部によって案内される。すなわち、フィルターがスロープ部に沿って斜めに吸気ダクトへ近づく。そのため、フィルターと第１クッションおよび第２クッションとの摺動が抑えられる。また、フィルターを収容室から取り出す際にも、上記と逆の動作となるため、フィルターと第１クッションおよび第２クッションとの摺動が抑えられる。したがって、第１クッションおよび第２クッションの摩耗が低減されて、プロジェクター内部の防塵性能が好適に維持される。
【００８２】
さらに、スロープ部および蓋部のリブ部などによって、フィルター装着時における、吸気ダクトに対するフィルターの固定を、従来よりも容易かつ着実に行うことができる。これらにより、防塵性能を向上させたプロジェクターを提供することができる。
【００８３】
上記のプロジェクターにおいて、第１クッションは、第２クッションよりも硬く、第２クッションは、第１クッションに対して、スロープ部に近く、蓋部と離れた位置に配置され、フィルターの先端と密着することが好ましい。
【００８４】
この構成によれば、フィルターが収容室に挿入された際に、フィルターがスロープ部に案内されて、まず第２クッションに当接する。第２クッションは、第１クッションよりも柔らかく、第１クッションよりも変形しやすい。そのため、フィルターが蓋部のリブ部に押圧されると、第２クッションが変形してフィルターと密着する。次いで、フィルターと第１クッションとが当接して密着する。これにより、フィルターと吸気ダクトとの間の封止性がさらに向上すると共に、第１クッションおよび第２クッションの摩耗がより低減される。
【００８５】
上記のプロジェクターにおいて、第１クッションおよび第２クッションは、複数の気泡を有し、第１クッションが有する複数の気泡は、互いに独立した独立気泡であり、第２クッションが有する複数の気泡は、互いに連通した連続気泡であることが好ましい。
【００８６】
この構成によれば、第１クッションよりも第２クッションを、容易に柔らかくすることができる。
【符号の説明】
【００８７】
１…プロジェクター、２…外装筐体、３…スリット、４…収容室、５…スロープ部、６…開口部、１１…光源、４０，４０Ｒ，４０Ｇ，４０Ｂ…光変調装置としての液晶パネル、７０…フィルター、８０…蓋部としてのフィルターカバー、８６，８７…リブ部、９０…吸気ダクト、９１，９２，９３…第１クッション、９４…第２クッション、９５…吸入口、ａ…外気。
【図１】
2020118852.tif 000003
【図２Ａ】
2020118852.tif 000004
【図２Ｂ】
2020118852.tif 000005
【図３】
2020118852.tif 000006
【図４】
2020118852.tif 000007
【図５】
2020118852.tif 000008
【図６】
2020118852.tif 000009
【図７】
2020118852.tif 000010
【図８Ａ】
2020118852.tif 000011
【図８Ｂ】
2020118852.tif 000012
【図９Ａ】
2020118852.tif 000013
【図９Ｂ】
2020118852.tif 000014
【図９Ｃ】
2020118852.tif 000015